(57)【要約】      （修正有）【課題】壁面に対し組込み設置した場合の室内景観に対する影響を低減可能とすると共に、装置本体の構造を簡略化してコスト及び重量の低減を可能とする。【解決手段】消火栓装置は、上面板、背面板及び底面板を備えた側面及び前面に開口した箱形の装置本体１２を備え、装置本体１２の前面開口部に、開口端に配置したロールスクリーン装置２６による巻き出し又は巻き込みにより開閉自在な不燃性又は難燃性のスクリーン２４を設ける。スクリーン２４の表面の色を設置場所の壁面の色と同じにし、スクリーン２４を設置場所の壁面と同様に見せて室内景観への影響を低減する。【選択図】図３
2015051136.tif 000002
【特許請求の範囲】
【請求項１】
消火ホースを収納した消火栓装置に於いて、
上面、背面及び底面を備えた側面及び前面に開口した箱形の装置本体と、
前記装置の前面開口部に、開口端部に配置したロールスクリーン装置による巻き出し又は巻き込みにより開閉自在なスクリーンと、
を備えたことを特徴とする消火栓装置。
【請求項２】
請求項１記載の消火栓装置に於いて、前記スクリーンの表面を、消火栓装置設置場所の壁面の壁面色としたことを特徴とする消火栓装置。
【請求項３】
請求項１記載の消火栓装置に於いて、
設置場所の壁面に形成した矩形窪み部に収納する前記装置本体の横幅に対し、前記矩形窪み部の開口部外側に位置する前記スクリーンの横幅を広くしたことを特徴とする消火栓装置。
【請求項４】
請求項１記載の消火栓装置に於いて、
前記ロールスクリーン装置を前記開口部の下端に配置し、
前記開口部の上端にスクリーン開閉操作部を配置し、
前記スクリーン開閉操作部は、前記ロールスクリーン装置から巻き出した前記スクリーンの先端を前記開口部の上端に保持して前記開口部を閉鎖すると共に、所定の開放操作により前記スクリーンの先端保持を解除して前記ロールスクリーン装置に巻き取って開放させる構造を備えたことを特徴する消火栓装置。
【請求項５】
請求項１記載の消火栓装置に於いて、
前記開口部の上端に前記ロールスクリーン装置を配置すると共にスクリーン開閉操作部を配置し、
前記開口部の下端に設けられ、前記ロールスクリーン装置から巻き出した前記スクリーンの先端を前記開口部の下端に保持して前記開口部を閉鎖すると共に、前記スクリーン開閉操作部の所定の開放操作による動きを遠隔的に受けて前記スクリーンの先端保持を解除して前記ロールスクリーン装置に巻き取って開放させるスクリーン保持部と、
を備えたことを特徴する消火栓装置。
【請求項６】
請求項１記載の消火栓装置に於いて、前記装置本体の上部に、発信機、赤色表示灯及び内蔵した音響警報器の音響孔を備えた通報装置を設けたことを特徴とする消火栓装置。
【請求項７】
請求項１記載の消火栓装置に於いて、前記スクリーンを不燃性又は難燃性としたことを特徴とする消火栓装置。
【発明の詳細な説明】
【技術分野】
【０００１】
本発明は、屋内に設置され、消火ホースを収納した消火栓装置に関する。
【背景技術】
【０００２】
従来、建物内で発生した火災を消火するための消火栓装置としては例えば図１５乃至図１７に示すのもが知られている。
【０００３】
図１５は従来の消火栓装置の設置状態を示した説明図であり、消火栓装置２００は金属製の収納箱２０２の前面に、開閉自在に消火栓扉２０４を設け、また消火栓扉２０４の上部に通報パネル２０６を設け、ここに発信機２０８、赤色表示灯２１０、及び内蔵した警報用スピーカに対応して音響孔２１２を設けている。
【０００４】
赤色表示灯２１０は常時点灯し、消火栓装置２００の設置場所が遠方から視認できるようにしている。火災時には、発信機２０８中央に設けたボタンを押圧操作することでボタン内側のスイッチをオンすると、発信信号が監視室の防災受信盤（火災受信機）に送信されて防災受信盤の報知部から火災警報が報知出力されると共に、防災受信盤から引き出された制御線に接続されて各所に設置された地区音響端末に対して地区音響信号が送られて所定の各場所でも警報音が出力される。
【０００５】
図１６は図１５に示した消火栓装置２００の消火栓扉２０４を取り外した状態で内部構造を示した説明図であり、収納箱２０２の内部に消火栓弁２１４を配置し、消火栓弁２１４には先端にノズル２１８を装着した消火ホース２１６を連結接続し、図示の如くホルダー２２０に折り畳み状態で掛けることで引き出し自在に収納している。図１７はこの消火栓扉２０４を開放した状態であり、図１６に示した内部構造は省略している。
【０００６】
通常時、消火栓装置２００の消火栓扉２０４は図１５に示した如く閉じられており、適宜の扉ロック機構等により閉状態に維持されている。そして火災が発生した場合には、扉ロック機構等を操作して扉閉状態を解除して図１７のように消火栓扉２０４を開き、例えば一人がノズル２１８を持ちながら消火ホース２１６を引き出して火災発生場所（消火対象）に向かい、もう一人が発信機２０８を操作して通報すると共に消火栓弁２１４を開放操作するといったように、二人ないしそれ以上で消火活動を行う。これは、ホースの引出中に消火栓弁２１４を開放すると、水圧とその反動等によりホースが適切に引き出せなくなったり、危険が生じたりするといった問題を回避するため、また使用中、消火栓扉の開放を人の手で維持する必要がある等のためである。
【０００７】
このように、少なくとも二人操作を必要とする消火栓装置は１号消火栓として法的に規格が定められており、一方、一人操作を可能とする消火栓として放水による反動力を抑えると共に保形ホースを使用した２号消火栓も法的に規格が定められている。
【先行技術文献】
【特許文献】
【０００８】
【特許文献１】特開平９−３８２３１号公報
【特許文献２】特開２０１２−２３９４８５号公報
【発明の概要】
【発明が解決しようとする課題】
【０００９】
ところで、従来、このような消火栓装置を使用した消火活動における統計結果として、火災発生時の消火栓の使用例に対し奏功率は１０％に留まることが報告されている。これはスプリンクラー消火設備の奏功率が６０〜７０％にあることと対比すると、消火栓の奏功率はかなり低い結果となっている。
【００１０】
このように消火栓装置の奏功率が低い要因は、消火栓装置は通常時、図１５に示したように消火栓扉２０４が閉じていて内部を見ることができないため、図１６に示すような消火栓弁と消火ホースを収納した内部構造が充分知られておらず、また、火災が発生した場合に図１７のように消火栓扉２０４を開いても、角度によっては扉に遮られて内部が見えづらいために扱い難いことに起因している。
【００１１】
また、消火栓扉は横に回動して開放する構成が多く、放水作業を開始するときに、開放した消火栓扉が放水中にホースを挟むなど放水作業に悪影響を及ぼさないようにするため、係員が消火栓扉の開放を保持することが必要となる。また、扉の開放を維持した場合、扉が通路を遮って避難通路を遮ってしまう問題がある。
【００１２】
この問題を解決するため本願出願人にあっては、消火栓弁と消火ホースを収納した収納箱の開口を、ロールスクリーン装置から巻き出したスクリーンを消火栓扉として用いて覆うようにし、ハンドル操作によりラッチを解除するとスクリーンの保持を解除してロールスクリーン装置に巻き込むことで、消火栓扉として機能するスクリーンが開き、装置前側に突出することがないため、消火作業の邪魔にならないようにした消火栓装置を提案している（特許文献２）。
【００１３】
しかしながら、図１５に示した従来の消火栓扉を備えた消火栓装置や、収納箱の開口をスクリーンで覆うようにした消火栓装置にあっては、建物の廊下などの設置場所となる壁面に、型枠をセットしてコンクリートを打ち込むことで矩形の収納部を作り、ここに消火栓装置の収納箱２０２を組み込み設置しており、消火栓扉又はスクリーン及び通報パネルの枠と共に室内に露出するようになり、消火栓装置の設置場所によっては、室内の景観を損なう場合がある。
【００１４】
この場合、通報パネルは消火栓装置の設置場所を示したり、火災通報に使用することから室内に露出することに問題はないが、消火栓扉やスクリーンの枠については全体に占める割合が大きく、消火栓装置の設置場所によっては、室内の景観を損なう場合がある。
【００１５】
また、消火栓装置は、装置本体として金属製の収納箱を使用しており、製造コストが嵩み、重量も重くなる問題があり、この点の改善も望まれている。
【００１６】
本発明は、壁面に対し組込み設置した場合の室内景観に対する影響を低減可能とすると共に、装置本体の構造を簡略化してコスト及び重量の低減を可能とする消火栓装置を提供することを目的とする。
【課題を解決するための手段】
【００１７】
（消火栓装置）
本発明は、消火ホースを収納した消火栓装置に於いて、
上面、背面及び底面を備え、側面又は側面開口側の一部及び前面に開口した箱形の装置本体と、
装置の前面開口部に、開口端部に配置したロールスクリーン装置による巻き出し又は巻き込みにより開閉自在なスクリーンと、
を設けたことを特徴とする。
【００１８】
（スクリーンの壁面色）
スクリーンの表面を、消火栓装置設置場所の壁面の色と略同じ色とする。
【００１９】
（スクリーン横幅）
設置場所の壁面に形成した収納部に収納する装置本体の横幅に対し、収納部の開口部外側に位置するスクリーンの横幅を広くする。
【００２０】
（スクリーン巻き降し開口）
ロールスクリーン装置を開口部の下端に配置し、
開口部の上端にスクリーン開閉操作部を配置し、
スクリーン開閉操作部は、ロールスクリーン装置から巻き出したスクリーンの先端を開口部の上端に保持して開口部を閉鎖すると共に、所定の開放操作によりスクリーンの先端保持を解除してロールスクリーン装置に巻き取って開放させる構造を備える。
【００２１】
（スクリーン巻き上げ開口）
開口部の上端にロールスクリーン装置を配置すると共にスクリーン開閉操作部を配置し、
ロールスクリーン装置から巻き出したスクリーンの先端を開口部の下端に保持して開口部を閉鎖すると共に、スクリーン開閉操作部の所定の開放操作による動きを遠隔的に受けてスクリーンの先端保持を解除してロールスクリーン装置に巻き取って開放させるスクリーン保持部を、開口部の下端に設ける。
【００２２】
装置本体の上部に、発信機、赤色表示灯及び内蔵した音響警報器の音響孔を備えた通報装置を設ける。スクリーンは不燃性又は難燃性とする。
【発明の効果】
【００２３】
（基本的な効果）
本発明の消火栓装置は、少なくとも上面、背面及び底面を備え、側面又は側面開口側の一部及び前面に開口した箱形の装置本体と、装置の前面開口部に、開口端部に配置したロールスクリーン装置による巻き出し又は巻き込みにより開閉自在な不燃性又は難燃性のスクリーンを設けるようにしたため、設置場所の壁面に形成した収納部に消火栓装置を組み込み設置した場合、装置本体は前面から見て設置状態で外部に露出する枠に相当する部分が存在せず、装置本体の前面開口部を閉鎖しているスクリーンのみが見える状態となり、従来の消火栓装置で壁面に露出していた消火栓扉又はスクリーンを囲む枠が無くなることで、消火栓装置を設置する場所の景観や室内デザインに対する影響を大幅に低減可能とする。
【００２４】
また、装置本体は、上面、背面及び底面を備え、側面は全くないか、或いは開口側の一部がない側面とした箱型の構造であり、前方に開口した箱形の一部となる構造であることから、その分、構造が簡単でコスト及び重量を低減可能とする。
【００２５】
（スクリーンの壁面色による効果）
また、スクリーンの表面を、消火栓装置設置場所の壁面の色と略同じ色とするようにしたため、スクリーンによる開口部の閉鎖状態で、スクリーンが壁面に一体化して壁面として見えることで、消火栓装置を設置する場所の景観や室内デザインに対する影響を大幅に低減可能とする。
【００２６】
（スクリーン横幅による効果）
また、設置場所の壁面に形成した収納部に収納する装置本体の横幅に対し、収納部の開口部外側に位置するスクリーンの横幅を広くするようにしたため、室内に開口した壁面開口部の左右の開口縁部を覆い隠すようにスクリーンが展開し、スクリーンと壁面の外観的な一体化をより強めることを可能とする。
【００２７】
（スクリーン巻き降し開口による効果）
また、ロールスクリーン装置を開口部の下端に配置し、開口部の上端にスクリーン開閉操作部を配置し、スクリーン開閉操作部は、ロールスクリーン装置から巻き出したスクリーンの先端を開口部の上端に保持して開口部を閉鎖すると共に、所定の開放操作によりスクリーンの先端保持を解除してロールスクリーン装置に巻き取って開放させる構造を備えるようにしたため、スクリーン開閉操作部に設けた例えばハンドル操作により、スクリーンの保持を解除してスクリーンを開口部の下に巻き降ろして開口し、消火作業の邪魔にならず、また、扉開放スペースを確保する必要がなく、設置場所の制約を低減可能とする。
【００２８】
（スクリーン巻き上げ開口による効果）
また、開口部の上端にロールスクリーン装置を配置すると共にスクリーン開閉操作部を配置し、ロールスクリーン装置から巻き出したスクリーンの先端を開口部の下端に保持して開口部を閉鎖すると共に、スクリーン開閉操作部の所定の開放操作による動きを遠隔的に受けてスクリーンの先端保持を解除してロールスクリーン装置に巻き取って開放させるスクリーン保持部を、開口部の下端に設けるようにしたため、スクリーン開閉操作部に設けた例えばハンドル操作により、遠隔的にスクリーンの保持を解除してスクリーンを開口部の上に巻き上げて開口し、消火作業の邪魔にならず、また、扉開放スペースを確保する必要がなく、設置場所の制約を低減可能とする。更に、スクリーンが開口上部のロールスクリーン装置に巻上げられることで、開口部下側にロールスクリーン装置の設置スペースを確保する必要がなく、消火作業で開口部下側を広く使うことを可能とする。
【図面の簡単な説明】
【００２９】
【図１】ロールスクリーン装置を開口下部に設けた消火栓装置の概略を示した説明図
【図２】ロールスクリーンを開放した消火栓装置の説明図
【図３】消火栓装置のスクリーン閉鎖状態と開放状態を示した斜視図
【図４】消火栓装置のスクリーン閉鎖状態と開放状態を示した側面断面図
【図５】ロールスクリーン装置を取り出して示した説明図
【図６】開閉操作部に対するスクリーン先端の保持構造を示した説明図
【図７】壁面収納部に対する消火栓装置の設置を示した説明図
【図８】消火栓装置の設置状態を示した説明図
【図９】消火栓装置のスクリーン開放状態を示した説明図
【図１０】ロールスクリーン装置を開口上部に設けた消火栓装置を示した説明図
【図１１】ロールスクリーンを巻上げ開放した消火栓装置の説明図
【図１２】消火栓装置のスクリーン閉鎖状態と巻上げ開放状態を示した側面断面図
【図１３】消火栓装置の遠隔操作によるスクリーン開閉機構を示した説明図
【図１４】装置本体に側面板を設けた消火栓装置の実施形態を示した説明図
【図１５】従来の消火栓装置を示した正面図
【図１６】従来の消火栓装置につき消火栓扉を取外して内部構造を示した説明図
【図１７】従来の消火栓装置について消火栓扉の開放状態を示した説明図
【発明を実施するための形態】
【００３０】
［スクリーン巻き降ろしで開口する消火栓装置の概要］
図１はロールスクリーンを用いた消火栓装置の実施形態を示した説明図、図２は消火栓装置のスクリーン開放状態を示した説明図、図３は消火栓装置のスクリーン閉鎖状態と開放状態の縦断面を示した説明図である。なお、装置本体内には図１７に示した消火栓ホースや消火栓弁などを設けているが、その図示を省略している。
【００３１】
図１乃至図３に示すように、消火栓装置１０は、装置本体１２を上面板１２ａ、背面板１２ｂ及び底面板１２ｃを備えた側面及び前面に開口した箱形の一部を構成する構造であり、その上部に、パネル枠１４、通報パネル１６及び操作ボックス１６ａで構成した通報装置を一体に設けている。装置本体１２の側面の４箇所には支持部材１３を配置し、箱形構造を保つ強度を確保している。
【００３２】
装置本体１２の前面開口部の下端部にはロールスクリーン装置２６を配置し、ロールスクリーン装置２６から巻き出したスクリーン２４の上部の支持部材２８を、前部開口の上部に配置した開閉操作部３０に係合し、スクリーン２４で前面開口部を閉鎖した状態に保持している。
【００３３】
開閉操作部３０にはハンドル３２を設けており、ハンドル３２の回動操作で支持部材２８の保持を解除し、スクリーン２４をロールスクリーン装置２６に巻き下して開放させる。
【００３４】
スクリーン２４は不燃性又は難燃性のシートを使用しており、シート２４の表面の色は、消火栓装置１０を設置する建物内の壁面の色と同じ色又はそれに近い色としている。
【００３５】
またスクリーン２４の横幅Ｌ１は、設置場所の壁面に形成した収納部に収納する装置本体１２の横幅Ｌ２に対し、
Ｌ１＞Ｌ２
としている。即ち、スクリーン２４の横幅Ｌ１を装置本体１２の横幅Ｌ２より広くしており、消火栓装置１０を壁面に形成した収納部に組込み設置した場合、収納部の開口縁部がスクリーン２４により隠され、スクリーン２４と壁面が連続するようにしている。
【００３６】
装置本体１２の上部に設けた通報パネル１６には、発信機１８、赤色表示灯２０、音響警報器として例えばスピーカを背後に内蔵した音響孔２２を設けている。通報パネル１６の周囲にはパネル枠１４を配置し、パネル枠１４の背後に箱形のパネルボックス１６ａを設け、設置場所の壁面に形成した収納部に収納する場合、パネル枠１５が収納部開口に当って位置決めすることになる。
【００３７】
［ロールスクリーン装置］
図５はロールスクリーン装置を取り出して示した説明図、図６は開閉操作部に対するスクリーン先端の保持構造を示した説明図である。
【００３８】
図５及び図６に示すように、ロールスクリーン装置２６は、基台３６の左右両側にサイドホルダ３８を起立し、両サイドホルダ３８の間にローラパイプ３４を回転自在に支持し、ローラバイプ３４にはスクリーン２４の下端を固定した状態で巻き込んでいる。
【００３９】
スクリーン２４は裏面側に棒状又は板状のステー２５を横方向に設けており、ステー２５は骨組みとして、また重しとして、スクリーン２４を張るようになり、スクリーン２４に皺ができにくいようにしている。
【００４０】
支持部材２８の軸方向略中央には、フック金具４０を設け、開閉操作部３０のフック爪３５を、フック金具４０のフック穴４０ａに押圧挿通し、これによりスクリーン２４を閉鎖状態に保持している。
【００４１】
ロールスクリーン装置２６はコイルバネを内蔵しており、スクリーン２４の巻き出しに伴うローラパイプ３４の回転で内蔵したコイルバネを巻き込み、スクリーン２４を巻き出して前面開口部を閉鎖した状態でも、巻き込む方向の力を継続的にスクリーン２４に加えている。
【００４２】
開閉操作部３０は、前方側にハンドル３２を設け、スクリーン閉鎖状態で、ハンドル３２を、例えば下向き（時計回り）に回動操作すると、フック金具４０からフック爪３５を抜いて支持部材２８の保持を解除し、ロールスクリーン装置２６がスクリーン２４を自動的に巻き取り、スクリーン開放状態とする。
【００４３】
［消火栓装置の組付け配置］
図７は壁面収納部に対する消火栓装置の設置を示した説明図、図８は消火栓装置の設置状態を示した説明図及び図９は消火栓装置のスクリーン開放状態を示した説明図である。
【００４４】
図７に示すように、建物内の消火栓装置を設置する場所の壁面４６には、型枠を設置してコンクリートを打ち込むことで、箱形の窪みとなる収納部４２を形成している。また、収納部４２の開口側の下部両側には、消火栓装置１４に設けたロールスクリーン装置２６を配置する矩形の窪み４４を同時に形成している。
【００４５】
壁面４６に形成した収納部４２に対して、消火栓装置１０を矢印で示すように、組み込んで配置し、給水管と接続する配管作業及び通報パネル１６に設けた発信機１８、赤色表示灯２０及び内蔵したスピーカに対する配線作業を行う。なお、消火栓装置１０の組込み設置の作業の際には、スクリーン２４を傷つけないため、スクリーン２４はハンドル３２の操作で保持を解除し、ロールスクリーン装置２６に巻き下したスクリーン開放状態で作業を行う。
【００４６】
壁面４６の収納部４２に対する消火栓装置１０の組込み配置が完了すると、図８に示すように、パネル枠１４を設けた通報パネル１６が壁面４６に露出して配置され、その下には、スクリーン２４を上部に引き上げて保持することで前面開口部を閉鎖しており、図７に示した収納部４２の両側の開口縁部は、スクリーン２４により完全に隠され、スクリーン２４は壁面４６に連続している。
【００４７】
また、スクリーン２４の表面の色は、設置場所の壁面４６の色と同じ色又はそれに近い色にしており、少しは離れて見た場合、スクリーン２４と壁面４６の境目は分からず、スクリーン２４は壁面４６の一部として一体に見えるようになる。
【００４８】
このようなスクリーン２４と壁面４６を外観的に一体化することにより、消火栓装置１０を設置しても、設置場所の景観にほとんど影響を与えることがなく、建物内のデザイン性を維持可能とする。
【００４９】
また、消火栓装置１２としての機能は、壁面４６に通報パネル１６を露出して配置し、また、通報パネル１６のパネル枠１４にはスクリーン２４を開放操作するためのハンドル３２も設けているため、スクリーン２４と壁面４６を外観的に一体化していても、消火栓装置としての機能や操作性は何ら損なわれることはない。
【００５０】
図８に示したスクリーン２４の閉鎖状態で、火災が発生して消火栓装置１０を使用する場合に、ハンドル３２を回動操作すると、スクリーン２４の保持を解除し、スクリーン２４はロールスクリーン装置２６に巻き込まれ、図９に示すように、消火栓装置１０の前面が開口し、この状態で内部に収納しているホースを引き出し、消火栓弁のハンドルを開いて放水することを可能とする。
【００５１】
この場合、保持を解除したスクリーン２４は下部のロールスクリーン装置２６に巻き取られ、消火作業の邪魔になることはない。
【００５２】
［スクリーン巻上げで開口する消火栓装置の概要］
図１０はスクリーン巻上げで開口する消火栓装置の実施形態を示した説明図、図１１は消火栓装置のスクリーン開放状態を示した説明図、図１２は消火栓装置のスクリーン閉鎖状態と開放状態の縦断面を示した説明図、消火栓装置のスクリーン遠隔開閉機構を示した説明図である。
【００５３】
図１０乃至図１２に示すように、本実施形態の消火栓装置１０は、装置本体１２の前面開口部の上端部にロールスクリーン装置２６を配置し、ロールスクリーン装置２６から巻き下したスクリーン２４の下部の支持部材２８を、前部開口の下部に配置した開閉機構部４８に係合し、スクリーン２４を前面開口部を閉鎖した状態に保持している。
【００５４】
開閉操作部３０にはハンドル３２を設けており、ハンドル３２の回動操作による動きをワイヤーにより下部に配置した開閉機構部４８に伝えて支持部材２８の保持を解除し、スクリーン２４をロールスクリーン装置２６に巻き上げて開放する。
【００５５】
ハンドル３２による開閉機構部４８の遠隔操作機構は、図１３に示すように、ハンドル３２の軸３２ａに固定したレバー５０の先端にワイヤー５２を締結し、ローラ５４，５６を経由して開閉機構部４８にワイヤー５２を引き込んでいる。
【００５６】
開閉機構部４８には、軸６０により回動自在なリンクレバー５８を設け、リンクレバー５８の下端にワイヤー５２を締結すると共に、バネ６１を設けて、リンクレバー５８を反時計回りに付勢する。
【００５７】
リンクレバー５８の上端にはフック爪６２を、スクリーンの支持部材２８に設けたフック金具４０のフック穴に嵌め入れて保持している。
【００５８】
ハンドル３２を矢印のように時計回りに回動操作すると、レバー５０の回動に伴いワイヤー５０を引き込み、このワイヤー５０の動きが開閉機構部４８のリンクレバー５８に伝達され、リンクレバー５８は時計回りに回動し、フック爪６２がフック金具４０から外れて保持を解除し、スクリーン４０を上部に配置したロールスクリーン装置２６により巻上げて、装置本体１２の前面を開放する。
【００５９】
なお、それ以外の構成及び機能は、図１乃至図３の実施形態と同様であることから、その説明を省略する。
【００６０】
［装置本体構造の他の実施形態］
図１４は装置本体に側面板を設けた消火栓装置の実施形態を示した説明図である。図１４に示すように、本実施形態の消火栓装置１０に設けた装置本体１２は、上面板１２ａ、背面板１２ｂ及び底面板１２ｃを備えた点は図１乃至図３に示した実施形態と同様であるが、補強用の支持部材１３に代えて、部分側面板１２ｄを設けている。
【００６１】
部分側面板１２ｄは、背面板１２ｂに続いて一体に設け、前面開口側を除くことで、部分側面板１２ｄの前方端部をスクリーン２４の後方に位置している。即ち、装置本体１２の奥行きＤ１に対し、部分側面板１２ｄの奥行きＤ２を
Ｄ１＞Ｄ２
としている。
【００６２】
このため図７に示したように、消火栓装置１０を壁面４８の収納部４２に組込み配置した場合、部分側面板１２ｄは収納部４２内に位置し、壁面４６に露出することはない。尚、これ以外の構成及び機能は、図１乃至図３の実施形態と同様であることから、その説明を省略する。
【００６３】
［本発明の変形例］
上記の実施形態は二人操作を行う消火栓装置を例にとっているが、一人操作を行う消火栓装置や補助散水栓装置についても同様に適用できる。また、人の手によって、通常閉鎖されている収納箱の内部に収納された各種装置等を取り出したり操作したりする消火栓装置である限りにおいて、収納箱の内部に設ける装置類は任意であり、例えば上記実施形態のものに加え消火ポンプの起動スイッチボタン等を設けた消火栓装置についても同様に適用できる。
【００６４】
また、上記各実施形態で示した消火栓装置の、例えば装置本体に内蔵されるホース類や消火栓弁、通報パネル部の構成及び配置その他、スクリーン部分以外の構成についても任意であり、適宜の構成を採用して良い。要するに、消火栓装置の開口部に対しスクリーンロール装置を用いた開閉構造を設け、本願の課題の一部又は全部を解決し、或いは若干でも改善するものであれば良い。
【００６５】
また、発信機は必ずしも消火栓と一対でなくてもよく、発信機の設置場所は消火栓の場所によらず適宜設計配置されてもよい。
【００６６】
また、図１３に示した遠隔開閉機構は一例であり、ハンドル操作によりスクリーンの保持を解除して開放させる構造であれば、適宜の機構構造を用いても良い。
【００６７】
また本発明は、その目的と利点を損なうことのない適宜の変形を含み、更に、上記の実施形態に示した数値による限定は受けない。
【符号の説明】
【００６８】
１０：消火栓装置
１２：装置本体
１２ａ：上面板
１２ｂ：背面板
１２ｃ：底面板
１２ｄ：部分側面板
１４：パネル枠
１６：通報パネル
１８：発信機
２０：赤色表示灯
２２：音響孔
２４：スクリーン
２６：ロールスクリーン装置
２８：支持部材
３０：開閉操作部
３２：ハンドル
４０：フック金具
４０ａ：フック穴
４２：収納部
４６：壁面
４８：開閉機構部
【図１】
2015051136.tif 000003
【図２】
2015051136.tif 000004
【図３】
2015051136.tif 000005
【図４】
2015051136.tif 000006
【図５】
2015051136.tif 000007
【図６】
2015051136.tif 000008
【図７】
2015051136.tif 000009
【図８】
2015051136.tif 000010
【図９】
2015051136.tif 000011
【図１０】
2015051136.tif 000012
【図１１】
2015051136.tif 000013
【図１２】
2015051136.tif 000014
【図１３】
2015051136.tif 000015
【図１４】
2015051136.tif 000016
【図１５】
2015051136.tif 000017
【図１６】
2015051136.tif 000018
【図１７】
2015051136.tif 000019